(57)【要約】【課題】周知の発光装置の特にスイッチの機構をコンパクトにし、衣類に装着して実用し得る発光装飾片を得る。【解決手段】基板１１と発光ダイオード１５の装着された電子制御回路１２と化粧皮膜１３と透視性カバー１４を順次積層して成る発光装飾片において、電池１６を格納するケース１７と係止具１８を基板１１の裏面に付設する。ケース１７は筒体１９と蓋体２０とで構成し、制御回路の一方の電極２１を筒体に接続し、他方の電極２２を筒体内部に露出させる。筒体の周面に絶縁体２３を差し込むための差込口２４を設ける。絶縁体は紐２５で係止具１８に繋ぐ。制御回路のスイッチは絶縁体２３で構成され、それを差込口２４に差し込むと、電極と電池の間が遮断されて制御回路が停電状態になる。絶縁体を引き抜くと、電極と電池が接触して制御回路が通電状態になり、発光ダイオードが点滅する。【選択図】図２
0003135603.tif 000002
【実用新案登録請求の範囲】
【請求項１】
（ａ）  基板（１１）と電子制御回路（１２）と化粧皮膜（１３）と透視性カバー（１４）の順に重なった積層構造を成し、
（ｂ）  電子制御回路（１２）には発光ダイオード（１５）が装着されており、その輝光が透視性カバー（１４）の外面に露顕可能になっており、
（ｃ）  電子制御回路（１２）に通電する電池（１６）を格納する電池ケース（１７）と、基板（１１）を衣類に係止する係止具（１８）が、電子制御回路に表裏する基板（１１）の裏面に付設されており、
（ｄ）  電池ケース（１７）は、電池（１６）の嵌合する導電性筒体（１９）と、その筒体の片側の開口を封鎖する蓋体（２０）とから成り、
（ｅ）  その蓋体に封鎖されない他の片側の開口を基板に向けて筒体（１９）が基板（１１）に接合されており、
（ｆ）  電子制御回路の正負２つの電極（２１・２２）が基板を貫通しており、
（ｇ）  その２つの電極の一方（２１）が筒体（１９）に接続されており、その他方の電極（２２）が筒体（１９）の内部に露出しており、
（ｈ）  基板（１１）に接する筒体（１９）の周面の一部が切り欠かれた差込口（２４）となっており、
（ｉ）  その差込口（２４）から筒体内部に絶縁体（２３）が差し込まれており、
（ｊ）  その絶縁体（２３）が紐を介して基板、筒体、蓋体、係止具の何れかに繋がれている発光装飾片。
【請求項２】
係止具（１８）が安全ピンであり、絶縁体（２３）に紐（２５）を差し込む挿通孔（２６）が開けられており、その挿通孔（２６）に差し込まれた紐（２５）の端々が結び合わされて輪状を成す紐（２５）が安全ピン（１８）に繋がれている前掲請求項１に記載の発光装飾片。
【請求項３】
紐（２５）がポリウレタン樹脂製の破断伸度が３００％以上のモノフィラメント糸である前掲請求項１と２の何れかに記載の発光装飾片。
【考案の詳細な説明】
【技術分野】
【０００１】
本考案は、基板に設けた電子制御回路に発光ダイオードを装着して成り、衣類等に取り付けて発光ダイオードの輝光を楽しむ発光装飾片に関するものである。
【背景技術】
【０００２】
プリント基板の電子制御回路に発光ダイオードを設けた発光装置それ自体は周知である（例えば、特許文献１参照）。
基板の表面に電子制御回路と発光ダイオードと電池を設けた発光装飾片を目印やアクセサリー等として表面に貼付装着したランドセルやハンドバック等の袋物やベルト等は公知である（例えば、特許文献２参照）。
基板の裏面に電子制御回路と発光ダイオードを装着すると共に、発光ダイオードの輝光を表面に顕出する透孔を基板に開け、クリップを取り付けて衣類等に係止し得るようにした発光装飾片も知られている（例えば、特許文献３、４参照）。
【０００３】
【特許文献１】特開昭６０−４９６８２号公報
【特許文献２】特開２００７−６５０５９号公報
【特許文献３】実用新案登録第３１２２０６３号公報
【特許文献４】実用新案登録第３１２２４８３号公報
【考案の開示】
【考案が解決しようとする課題】
【０００４】
周知の発光装置（例えば、特許文献１参照）を衣類に装着して発光装飾片として使用しようとしても、電池やスイッチ等の付属品が嵩張って使用し難く、電池やスイッチによって体裁が損なわれて装飾片としては使用し難いものとなる。勿論、電池としては薄型のボタン電池が広く使用されており、電池は左程嵩張らないとしても、スイッチは如何にしてコンパクトに構成するかが問題となる。
【０００５】
そこで本考案は、周知の発光装置の特にスイッチの機構を簡素にし、その構造をコンパクトにし、衣類に装着してバッチやアクセサリー等として実用する上で嵩張らず、身の回り装飾品として使用することの出来る発光装飾片を得ることを目的とする。
【課題を解決するための手段】
【０００６】
本考案に係る発光装飾片は、（ａ）  基板１１と電子制御回路１２と化粧皮膜１３と透視性カバー１４の順に重なった積層構造を成し、（ｂ）  電子制御回路１２には発光ダイオード１５が装着されており、その輝光が透視性カバー１４の外面に露顕可能になっており、（ｃ）  電子制御回路１２に通電する電池１６を格納する電池ケース１７と、基板１１を衣類に係止する係止具１８が、電子制御回路に表裏する基板１１の裏面に付設されており、（ｄ）  電池ケースは、電池１６の嵌合する導電性筒体１９と、その筒体の片側の開口を封鎖する蓋体２０とから成り、（ｅ）  その蓋体に封鎖されない他の片側の開口を基板に向けて筒体１９が基板１１に接合されており、（ｆ）  電子制御回路の正負２つの電極２１・２２が基板を貫通しており、（ｇ）  その２つの電極の一方２１が筒体１９に接続されており、その他方の電極２２が筒体１９の内部に露出しており、（ｈ）  基板１１に接する筒体１９の周面の一部が切り欠かれた差込口２４となっており、（ｉ）  その差込口２４から筒体内部に絶縁体２３が差し込まれており、（ｊ）  その絶縁体２３が紐を介して基板、筒体、蓋体、係止具の何れかに繋がれていることを第１の特徴とする。
【０００７】
本考案に係る発光装飾片の第２の特徴は、上記第１の特徴に加えて、係止具１８が安全ピンであり、絶縁体２３に紐２５を差し込む挿通孔２６が開けられており、その挿通孔２６に差し込まれた紐２５の端々が結び合わされて輪状を成す紐２５が安全ピン１８に繋がれている点にある。
【０００８】
本考案に係る発光装飾片の第３の特徴は、上記第１、第２の何れかの特徴に加えて、紐２５がポリウレタン樹脂製の破断伸度が３００％以上のモノフィラメント糸である点にある。
【考案の効果】
【０００９】
本考案では、電池ケース１７を筒体１９と蓋体２０とで構成し、制御回路１２の一方の電極２１を筒体１９にに接続し、他方の電極２２を筒体１９の内部に露出したので、ケース１７の厚みは、ボタン電池１６の厚みと略同じ厚みになる。
そして、基板１１に接する筒体１９の周面の一部を絶縁体２３を差し込む差込口２４としたので、絶縁体２３を差込口２４に差し込むとときは、その絶縁体２３が電極２２と電池１６の間に挟み込まれることになり、電極２２と電池１６が絶縁体２３に引き離されて電子制御回路が停電状態になる。
そして、その絶縁体２３を差込口２４から引き抜くときは、電極２２と電池１６が接触することになり、電子制御回路が通電状態になって発光ダイオード１５が点滅する。
【００１０】
そのように、電子制御回路をオン・オフするスイッチは、差込口２４に挿抜自在な絶縁体２３によって構成されている。
その絶縁体２３を電極２２と電池１６の間にも挿抜自由にするために、その絶縁体２３の厚みを５００μｍ以下に極薄にすることが出来、その厚み５００μｍ以下の絶縁体２３を使用することによって、電子制御回路１２をオン・オフするスイッチを極薄に構成することが出来る。
【００１１】
差込口２４は、基板１１に接する筒体１９の周面の一部を切り欠いて構成されており、基板１１の裏面と差込口２４の間に段差がなく、基板１１の裏面は電池ケース１７の内部底面へと続いており、その内部底面の一部が電極２２になっている。
そのため、絶縁体２３の先端を基板１１の裏面に当てて差込口２４へと移動するときは、絶縁体２３は基板１１の裏面の上を滑るようにして差込口２４へと差し込まれ、電極２２と電池１６の間へと挟み込まれることになる。
その場合、基板１１の裏面が絶縁体２３を差込口２４へと導くガイドの役目をなす。
従って、絶縁体２３を薄くしても確実に差込口２４に差し込んで電子制御回路を停電状態にすることが出来、その際、絶縁体２３は、それが厚み５００μｍ以下の極薄板材であっても、筒体１９や電池１６の周面に突き当たって折れ曲がるようなことはない。
【００１２】
その絶縁体２３が紐２５を介して基板１１に繋がれているので、電子制御回路１２を通電状態にするために差込口２４から抜き抜いても、絶縁体２３を紛失することはない。
そして、係止具１８は、衣類に発光装飾片を装着するために必要とされる部材であるから、絶縁体２３を紐２５を介して係止具１８に繋ぐことによって、電子制御回路１２をオン・オフするスイッチが嵩張るものにはならない。
【００１３】
その紐２５に破断伸度が３００％以上のポリウレタン樹脂製モノフィラメント糸を使用すれば、紐２５は短くても済み、絶縁体２３と係止具１８を紐２５で繋ぐことによって発光装飾片が嵩張るものとはならない。
そして、そのように短くすれば、紐２５が邪魔にもならず、その大半が基板１１の裏に隠れることにもなるので、紐２５によって発光装飾片の体裁が損なわれることもない。
【００１４】
このように本考案によると、電子制御回路１２のスイッチがコンパクトに構成され、衣類に装着して実用し得る発光装飾片を得ることが出来る。
【考案を実施するための最良の形態】
【００１５】
基板１１には、金属板や硬質プラスチック板を貼り合わせて補強することが出来る。
化粧皮膜１３には、所要の絵柄を描出した化粧紙や化粧フイルムを使用することが出来、それらは接着剤を介して制御回路１２を覆い隠すように基板１１に貼り合わされる。
勿論、化粧皮膜１３は、制御回路１２の表面に塗布した塗料の塗膜によって構成することが出来る。
透視性カバー１４には透明樹脂が使用される。係止具（安全ピン）１８は、基板１１に接着固定される。
【００１６】
筒体１９と蓋体２０には螺子山を刻設し、蓋体２０と筒体１９を螺着して電池ケース１７とする。
電池１６には、直径が７ｍｍ未満で、厚さが２ｍｍ未満のボタン電池が使用される。
絶縁体２３には、厚さが２００μｍ以下のポリカーボネート樹脂やポリエステル樹脂、アクリル樹脂等の硬質プラスチック薄板が使用される。
電池１６と筒体１９の内周面の間には、絶縁シート２７として厚さ１００μｍ以下のプラスチックフイルムが差し込まれる。
【図面の簡単な説明】
【００１７】
【図１】本考案に係る発光装飾片の表面側の一部切截斜視図である。
【図２】本考案に係る発光装飾片の裏面側の斜視図である。
【図３】本考案に係る発光装飾片の要部断面図である。
【符号の説明】
【００１８】
１１：基板
１２：制御回路
１３：化粧皮膜
１４：透視性カバー
１５：発光ダイオード
１６：電池
１７：ケース
１８：係止具（安全ピン）
１９：筒体
２０：蓋体
２１：電極
２２：電極
２３：絶縁体
２４：差込口
２５：紐
２６：挿通孔
２７：絶縁シート
【図１】
0003135603.tif 000003
【図２】
0003135603.tif 000004
【図３】
0003135603.tif 000005